(57)【特許請求の範囲】
【請求項１】
作業台の高さ方向の中間部及び上端部に、パチンコ盤の下端面と上端部とをそれぞれ支持する搬送コンベア装置及び上端部支持装置とが設けられ、横方向に搬送される途中の作業位置において一時的に停止されたパチンコ盤と対峙して、当該パチンコ盤の遊技釘の調整を行うための遊技釘調整装置であって、
前記作業台の作業位置におけるパチンコ盤の背面側には、当該パチンコ盤を押圧板によって前方に向けて押圧させる押圧装置が配置され、
前記搬送コンベア装置及び上端部支持装置には、前記押圧装置により前方に押圧されたパチンコ盤の当該前方への移動を規制する移動規制部がそれぞれ設けられていることを特徴とするパチンコ盤の遊技釘調整装置。
【請求項２】
前記押圧板は、ベニヤ又は表裏面が平面状の一般樹脂板から成るパチンコ盤を背面から押圧する一般押圧板に対して背面側のみが凹状に形成された凹状樹脂板から成るパチンコ盤を背面から押圧する凹部押圧板が位置決めされた状態で着脱可能に取付けられることで、計３種類のパチンコ盤を背面側から押圧できる構成であることを特徴とする請求項１に記載のパチンコ盤の遊技釘調整装置。
【請求項３】
前記一般押圧板に対して凹部押圧板は、磁力により着脱可能に取付けられることを特徴とする請求項２に記載のパチンコ盤の遊技釘調整装置。
【請求項４】
パチンコ盤の上端部を支持する上端部支持装置は、垂直又は垂直に近い状態で配置された支持軸に１ないし複数のローラ単体が回転可能に支持された多数の支持ローラが、当該パチンコ盤の搬送方向に沿って一定間隔をおいて配置された構成であって、
前記一般押圧板の上端部には、前記支持ローラとの干渉を回避するための多数の干渉回避溝が設けられていることを特徴とする請求項２に記載のパチンコ盤の遊技釘調整装置。
【請求項５】
前記パチンコ盤は、僅かに後傾姿勢で配置されていることを特徴とする請求項１ないし４のいずれかに記載のパチンコ盤の遊技釘調整装置。
【発明の詳細な説明】
【技術分野】
【０００１】
本発明は、樹脂製のパチンコ盤に対応可能にしたパチンコ盤の遊技釘調整装置に関するものである。本明細書において、「パチンコ盤」とは、表面側に遊技釘、球案内レール等が取付けられ、その背面側には、何も取付けられていない状態のものを指す。
【背景技術】
【０００２】
パチンコ盤の遊技釘調整装置は、作業台の高さ方向の中間部、及び上端部に、パチンコ盤の下端面と上端部とをそれぞれ支持する搬送コンベア装置及び上端部支持装置とがそれぞれ設けられ、パチンコ盤を横方向に搬送させる途中において当該パチンコ盤を一時的に停止させて、当該パチンコ盤と対峙する作業者が、ハンマー、ゲージ等を用いて遊技釘の間隔、傾斜角度の微妙な調整を行うための装置である。
【０００３】
木材資源の枯渇問題を主因として、パチンコ盤自体がベニヤ製から樹脂製に徐々に移行しているため、パチンコ盤には、ベニヤ製と樹脂製の双方が混在している。このため、同一の釘調整装置により、材質の異なる複数のパチンコ盤の釘調整を行う必要がある。
【０００４】
従来のパチンコ盤の遊技釘調整装置は、例えば、特許文献１に開示のパチンコ台検査装置のように、調整位置まで搬送されて、停止しているパチンコ盤の上端面を、押圧装置により下方に押圧した状態で、遊技釘の調整作業を行っていた。なお、「パチンコ台検査装置」は、パチンコ盤の表側には、遊技釘、球案内レール等が取付けられていると共に、裏側には、制御盤が取付けられて、パチンコ盤を表裏反転させて、両面の検査をする装置であって、本願発明に係る「パチンコ盤の遊技釘調整装置」により釘調整が行われた後において、使用される装置である。
【０００５】
ここで、ハンマーにより遊技釘を叩いて間隔、傾斜角度等を調整する際に、振動が発生し、この振動が、微妙な釘調整の精度を低下させていた。振動発生の面では、樹脂製のパチンコ盤は、その材質からして、ベニヤ製のものに比較して、振動が発生し易い。
【０００６】
そこで、樹脂製のパチンコ盤の場合には、当該パチンコ盤の背面にゴム板を当てた状態で、釘調整作業を行うことで、遊技釘を叩く際に発生する振動を抑制しているが、十分な防振対策にはなっておらず、しかも、パチンコ盤の背面に対するゴム板の着脱を、パチンコ盤毎に行う必要があって、全体としての作業能率を低下させていた。
【０００７】
一方、パチンコ盤の下端面を支持する従来の搬送コンベア装置は、特許文献１に開示のように、多数の搬送ローラを一定間隔で配置したローラコンベア装置が用いられていた。従来のベニヤ製のパチンコ盤は、全体が方形状であって、下端部は、真っ直ぐで、凹凸のない形状のものが大部分であったが、樹脂製のパチンコ盤では、下端部に凹凸を有する形状のものがあり、更に、盤面サイズの拡大に伴って、重心バランスも悪くなっている。
【０００８】
このため、搬送コンベア装置がローラコンベア装置の場合には、パチンコ盤の搬送時に、全体を安定した水平姿勢で支持できずに、パチンコ盤の下端部の凸部が前後の搬送ローラの間に入り込むことで、パチンコ盤が一時的に傾斜状態となって搬送されることがあり、搬送の安定性の点で問題があった。
【先行技術文献】
【特許文献】
【０００９】
【特許文献１】特開２０１３−３９１４５号公報
【発明の概要】
【発明が解決しようとする課題】
【００１０】
本発明は、釘調整時におけるパチンコ盤の振動の発生を防止又は抑制すると共に、パチンコ盤の搬送時において、安定した水平姿勢で搬送可能にすることを課題としている。
【課題を解決するための手段】
【００１１】
上記課題を解決するための請求項１の発明は、作業台の高さ方向の中間部及び上端部に、パチンコ盤の下端面と上端部とをそれぞれ支持する搬送コンベア装置及び上端部支持装置とが設けられ、横方向に搬送される途中の作業位置において一時的に停止されたパチンコ盤と対峙して、当該パチンコ盤の遊技釘の調整を行うための遊技釘調整装置であって、前記作業台の作業位置におけるパチンコ盤の背面側には、当該パチンコ盤を押圧板によって前方に向けて押圧させる押圧装置が配置され、前記搬送コンベア装置及び上端部支持装置には、前記押圧装置により前方に押圧されたパチンコ盤の当該前方への移動を規制する移動規制部がそれぞれ設けられていることを特徴としている。
【００１２】
請求項１の発明によれば、作業台の高さ方向の中間部及び上端部にそれぞれ設けられた搬送コンベア装置及び上端部支持装置により、パチンコ盤の下端面と上端部とをそれぞれ支持された状態において、当該パチンコ盤は、前方への移動を防止された状態で、押圧装置により背面側から押圧されることで、パチンコ盤の剛性が高められるので、パチンコ盤の表側の遊技釘の調整時においても、当該パチンコ盤に振動が発生することなく、釘調整等を行える。釘調整後においては、押圧装置によるパチンコ盤の背面に対する押圧を解除して、そのまま搬送コンベア装置により、パチンコ盤を搬送させる。
【００１３】
請求項２の発明は、請求項１の発明において、前記押圧板は、ベニヤ又は表裏面が平面状の一般樹脂板から成るパチンコ盤を背面から押圧する一般押圧板に対して背面側のみが凹状に形成された凹状樹脂板から成るパチンコ盤を背面から押圧する凹部押圧板が位置決めされた状態で着脱可能に取付けられることで、計３種類のパチンコ盤を背面側から押圧できる構成であることを特徴としている。
【００１４】
請求項２の発明によれば、パチンコ盤が凹状樹脂板の場合のみ、一般押圧板の前面に凹部押圧板を位置決めして装着して、凹状樹脂板の背面側の凹部に凹部押圧板を入り込ませた状態で、凹状樹脂板から成るパチンコ盤の背面側を押圧することで、当該パチンコ盤の剛性を高めることができる。なお、パチンコ盤が、ベニヤ又は表裏面が平面状の一般樹脂板から成る場合には、一般押圧板のみを用いて、当該パチンコ盤を背面側から押圧する。
【００１５】
請求項３の発明は、請求項２の発明において、前記一般押圧板に対して凹部押圧板は、磁力により着脱可能に取付けられることを特徴としている。
【００１６】
請求項３の発明によれば、一般押圧板に対する凹部押圧板の着脱をワンタッチで行える。
【００１７】
請求項４の発明は、請求項２の発明において、パチンコ盤の上端部を支持する上端部支持装置は、垂直又は垂直に近い状態で配置された支持軸に１ないし複数のローラ単体が回転可能に支持された多数の支持ローラが、当該パチンコ盤の搬送方向に沿って一定間隔をおいて配置された構成であって、前記一般押圧板の上端部には、前記支持ローラとの干渉を回避するための多数の干渉回避溝が設けられていることを特徴としている。
【００１８】
請求項４の発明によれば、パチンコ盤の上端部を支持する上端部支持装置を構成する多数の支持ローラとの干渉を回避して、当該パチンコ盤の背面を押圧でき、押圧面積を広くできるので、パチンコ盤の押圧状態が安定する。
【００１９】
請求項５の発明は、請求項１ないし４のいずれかの発明において、前記パチンコ盤は、僅かに後傾姿勢で配置されていることを特徴としている。
【００２０】
請求項５の発明によれば、パチンコ盤が僅かに後傾姿勢となっているために、垂直配置に比較して、当該パチンコ盤の前面の釘調整の作業がし易くなる。
【００２１】
【００２２】
【００２３】
【００２４】
【００２５】
【発明の効果】
【００２６】
本発明によれば、パチンコ盤は、前方への移動を防止された状態で、押圧装置により背面側から押圧されることで、パチンコ盤の剛性が高められるので、パチンコ盤の表側の遊技釘の調整時においても、当該パチンコ盤に振動が発生することなく、釘調整等を行えると共に、釘調整後においては、押圧装置によるパチンコ盤の背面に対する押圧を解除して、そのまま搬送コンベア装置により、パチンコ盤を搬送させる。
【図面の簡単な説明】
【００２７】
【図１】本発明に係る遊技釘調整装置Ａの全体斜視図である。
【図２】同じく部分背面斜視図である。
【図３】同じく正面図である。
【図４】同じく側面図である。
【図５】本発明に係るパチンコ盤搬送コンベア装置Ｃの部分の拡大側面図である。
【図６】パチンコ盤Ｋ1 （Ｋ2 ，Ｋ3 ）の上端部を支持する上端部支持装置Ｓの拡大側面図である。
【図７】パチンコ盤搬送コンベア装置Ｃの正面図である。
【図８】（ａ），（ｂ）は、それぞれパチンコ盤搬送コンベア装置Ｃの全体斜視図、及び分解斜視図である。
【図９】（ａ）は、パチンコ盤Ｋ1 （Ｋ2 ，Ｋ3 ）を背面から押圧する押圧装置Ｐを構成する一般押圧板４３及び凹部押圧板４７の分解斜視図であり、（ｂ）は、一般押圧板４３に対して凹部押圧板４７が位置決めされて装着された状態の部分断面図である。
【図１０】遊技釘調整装置Ａに組み込まれた押圧装置Ｐの一部を破断した側面図である。
【図１１】（ａ），（ｂ）は、それぞれ凹状樹脂板からなるパチンコ盤Ｋ1 を押圧装置Ｐにより押圧している状態、及び非押圧状態の側面図である。
【図１２】（ａ），（ｂ）は、それぞれベニヤ、及び平面状樹脂板からなるパチンコ盤Ｋ2 ，Ｋ3 の表裏両面から見た斜視図、及び断面図である。
【図１３】（ａ），（ｂ）は、それぞれパチンコ盤Ｋ2 ，Ｋ3 が押圧装置Ｐにより押圧された状態の断面図である。
【図１４】（ａ），（ｂ）は、それぞれローラコンベア装置に替えて、本発明に係る搬送コンベア装置Ｃの使用により、パチンコ盤Ｋ11，Ｋ12が水平を維持して搬送されることを示す模式図である。
【発明を実施するための形態】
【００２８】
以下、実施例を挙げて、本発明について更に詳細に説明する。図１ないし図６において、後述のパチンコ盤Ｋ1 〜Ｋ3 の遊技釘の調整を行うための遊技釘調整装置Ａは、作業台Ｂの高さ方向の中間部及び上端部に、前記パチンコ盤Ｋ1 〜Ｋ3 の下端面と上端部をそれぞれ支持する搬送コンベア装置Ｃ及び上端部支持装置Ｓが水平に配置された構成である。作業台Ｂは、作業台本体１の上面の前端部に前記搬送コンベア装置Ｃが水平に配置され、当該作業台本体１の前後方向の後端部であって、しかも左右方向の両端部及び中央部には、計３本の支柱２が当該作業台本体１の高さを超えて垂直に配置され、当該各支柱２の上端部には、複数本の水平支持部材３が前方に向けて片持状となって水平に支持され、各水平支持部材３の前端部に、パチンコ盤Ｋ1 〜Ｋ3 の上端部を支持する上端部支持装置Ｓが水平に設けられている。このため、パチンコ盤Ｋ1 〜Ｋ3 は、下端面、及び上端部をそれぞれ搬送コンベア装置Ｃ及び上端部支持装置Ｓで支持された状態で、正面視において、左端側から搬入されて、右端側から搬出される。
【００２９】
図１及び図３に示されるように、作業台本体１の上面の手前側の端部には、複数基（実施例では４基）の搬送コンベア装置Ｃが直列に配置されている。図５、図７及び図８に示されるように、搬送コンベア装置Ｃは、駆動及び被動の各ローラ４，５に平ベルト６が掛装された構成であって、その全体が前後の各覆板７，８の間に配置され、当該平ベルト６の上方走行部６ａの直下には、当該上方走行部６ａの水平を維持する水平維持板９が、ほぼ全長に亘って配置されている。駆動及び被動の各ローラ４，５の回転軸心は、パチンコ盤Ｋ1 〜Ｋ3 を僅かに後傾姿勢で搬送可能なように、水平に対して僅かに傾斜している。水平維持板９は、金属板を直角に折り曲げることで、横断面がＬ字状をなしていて、垂直配置される取付板部９ａが、後方の覆板８に固定されている（図５参照）。駆動ローラ４の軸方向の一端部に設けられたＶプーリ部４ａと、駆動モータＭの駆動軸と一体となったＶプーリ１１とには、Ｖベルト１２が掛装されることで、平ベルト６は、上方走行部６ａが水平維持板９の上面を走行することで、全長に亘って弛むことなく、水平を維持した状態で走行する。平ベルト６の下方走行部６ｂの直下には、当該下方走行部６ｂの弛みを吸収することで、平ベルト６に対してテンションを付与するためのテンション装置１３が配置されている。テンション装置１３は、基端部が支持台１４に回動可能に支持されたテンションアーム１５の先端部（自由端部）にテンションローラ１６が回転可能に支持され、前記支持台１４に、テンションアーム１５が下方に回動するのを阻止する規制ボルト１７が設けられた構成である。
【００３０】
また、図７に示されるように、隣接する各搬送コンベア装置Ｃの間、即ち、隣接する平ベルト６の間の略三角形状の隙間は、水平配置された閉塞板２０で閉塞されて、複数の搬送コンベア装置Ｃが直列に配置されることで形成されるパチンコ盤Ｋ1 〜Ｋ3 の直線搬送路は、全長に亘って凹部のない平面状に形成される。これにより、図１４に示されるように、下端部に凹凸部を有するパチンコ盤Ｋ11，Ｋ12であっても、ローラコンベア装置で搬送される場合のように、搬送途中において傾動することなく、水平を維持して搬送可能となる。
【００３１】
また、図５に示されるように、前後の各覆板７，８の上下の各端部には、それぞれ外側に向けてフランジ部７ａ，８ａが設けられ、上方の各フランジ部７ａ，８ａには、走行案内溝形成板１８，１９がそれぞれ設けられて、各走行案内溝形成板１８，１９の間の走行案内溝２１に、パチンコ盤Ｋ1 〜Ｋ3 の下端部が挿入されて、当該パチンコ盤Ｋ1 〜Ｋ3 の下端面が平ベルト６の上面に当接した状態で、当該平ベルト６の駆動走行により、パチンコ盤Ｋ1 〜Ｋ3 は、前後方向に微動することなく、側方に搬送される。
【００３２】
図１、図３及び図６に示されるように、複数本の前記水平支持部材３の前端部には、多数の支持ローラＲを取付けるための支持ローラ取付部材２２が、パチンコ盤Ｋ1 〜Ｋ3 の搬送方向Ｑに沿って水平に取付けられ、当該支持ローラ取付部材２２の下端面には、多数の支持ローラＲが前記搬送方向Ｑに沿って一定間隔をおいて設けられている。支持ローラＲは、支持軸２３に複数個（実施例では２個）のローラ単体２４が一体に取付けられた構成であって、当該支持軸２３の軸心は、前記駆動及び被動の各ローラ４，５の回転軸心と直交するように、垂直に対して僅かに傾斜した状態で、前記支持ローラ取付部材２２に固定されている。このため、パチンコ盤Ｋ1 〜Ｋ3 は、その下端面が搬送コンベア装置Ｃの平ベルト６に当接した状態で支持されると共に、その上端部が多数の支持ローラＲに支持されることで、僅かに後傾姿勢となって搬送される。本実施例では、パチンコ盤Ｋ1 〜Ｋ3 の上端部を支持する上端部支持装置Ｓは、支持ローラ取付部材２２に取付けられた多数の支持ローラＲで構成される。
【００３３】
本実施例では、パチンコ盤Ｋ1 〜Ｋ3 の釘調整作業は、１台の作業台Ｂにおける所定間隔をおいた２箇所において、背面側から押圧装置Ｐにより押圧された状態で行う。よって、図１及び図６に示されるように、作業台Ｂの２箇所の釘調整位置においては、押圧装置Ｐにより前面側に押圧されたパチンコ盤Ｋ1 〜Ｋ3 を当接支持させるための移動規制板２５が、前記支持ローラ取付部材２２にＬ字形の取付具２６を介して上端部支持装置Ｓに対向して水平に取付けられている。移動規制板２５は、パチンコ盤Ｋ1 〜Ｋ3 の高さ（上下方向の寸法）の差に対応可能なように、Ｌ字形の取付具２６に対して上下方向との固定位置を調整可能にして取付けられている。搬送方向Ｑに沿って搬送中のパチンコ盤Ｋ1 〜Ｋ3 は、釘調整の作業位置に達すると、上下一対の光センサ２７ａ，２７ｂにより、パチンコ盤Ｋ1 〜Ｋ3 の存在が検出されて、搬送コンベア装置Ｃの駆動モータＭを停止させることで、設定された釘調整位置で停止される。なお、図１において、２８は、搬送コンベア装置Ｃの駆動モータＭを起動させて、停止しているパチンコ盤Ｋ1 〜Ｋ3 を搬送させるための起動ボタンを示し、２９は、後述の押圧装置Ｐのエアシリンダ４１を作動させて、押圧板Ｄを前進・後退させる押圧板進退ボタンを示す。
【００３４】
ここで、図１及び図３において、計４基の搬送コンベア装置Ｃが直列に配置されていて、偶数番目の２基の搬送コンベア装置Ｃの部分において、パチンコ盤Ｋ1 〜Ｋ3 の釘調整作業を行うために、その背面側に押圧装置Ｐが配置されている。上記した上下一対の光センサ２７ａ，２７ｂは、各搬送コンベア装置Ｃの終端部にそれぞれ取付けられているが、偶数番目の搬送コンベア装置Ｃの部分で釘調整作業を行う場合には、奇数番目の一対の光センサ２７ａ，２７ｂを無効にすることで、奇数番目の搬送コンベア装置Ｃの部分においては、パチンコ盤Ｋ1 〜Ｋ3 は、そのまま通過するようになっている。なお、図１及び図４において、Ｎは、遊技釘を示し、３０は、一対の光センサ２７ａ，２７ｂを無効化させる無効化ボタンを示す。
【００３５】
次に、図１、図２、図４、図９ないし図１１を参照して、パチンコ盤Ｋ1 〜Ｋ3 を背面側から前方に向けて押圧させることで、釘調整時におけるパチンコ盤Ｋ1 〜Ｋ3 の剛性を高めるための押圧装置Ｐについて説明する。押圧装置Ｐは、エアシリンダ４１の作用により押圧板Ｄがパチンコ盤Ｋ1 〜Ｋ3 の背面に密着して、当該パチンコ盤Ｋ1 〜Ｋ3 を前方に押圧する装置である。
【００３６】
現在流通しているパチンコ盤には、大別して、背面側が凹状に形成された全体が樹脂製のパチンコ盤Ｋ1 と、ベニヤ製のパチンコ盤Ｋ2 〔図１２（ａ）参照〕と、全体が平板状の樹脂板９１の背面が補強板９２で補強されたパチンコ盤Ｋ3 〔図１２（ｂ）参照〕との３種類があり、押圧装置Ｐは、３種類のパチンコ盤Ｋ1 〜Ｋ3 のいずれにも対応可能である。
【００３７】
作業台Ｂの釘調整位置の背面側には、押圧装置Ｐの全体を支持するための支持基板３１が、パチンコ盤Ｋ1 〜Ｋ3 と平行となって、即ち、僅かに後傾姿勢となって、上下の各支持基板固定具３２，３３に固定されている。下側の支持基板固定具３３は、前記覆板８の下端のフランジ部に固定され、上側の支持基板固定具３２は、前記水平支持部材３に固定されている。支持基板３１は、強度を高めるために幅方向の両端部が背面側に向けて折り曲げて、フランジ部３１ａとなっていて、支持基板３１の各フランジ部３１ａの下端部は、下側の支持基板固定具３３に連結ピン３５を介して回動可能に連結され、支持基板３１の各フランジ部３１ａの上端部は、当該支持基板３１に連結される押圧板Ｄとパチンコ盤Ｋ1 〜Ｋ3 との平行を確保すべく、上側の支持基板固定具３２に複数本の固定ボルト３６を介して前後方向の固定位置を調整可能にして固定されている。
【００３８】
押圧装置Ｐは、図２、図４、図１０及び図１１に示されるように、支持基板３１の背面側にエアシリンダ４１が装着され、当該エアシリンダ４１のロッド４２は、前記支持基板３１の前面側に突出していて、当該ロッド４２の先端部に、押圧板Ｄを構成する平板状の一般押圧板４３が装着されている。支持基板３１には、その前面に突出した状態で複数本（実施例では４本）のロッドガイト筒４４が取付けられ、一般押圧板４３の背面に垂直に取付けられた複数本のガイドロッド４５は、前記各ロッドガイト筒４４に挿通され、前記エアシリンダ４１のロッド４２の出入りにより、一般押圧板４３は、複数本のガイドロッド４５により支持基板３１に対して平行を維持して接近・離隔する構成となっている。
【００３９】
押圧板Ｄは、図９に示されるように、一般押圧板４３の前面に、背面が凹状に形成されたパチンコ盤Ｋ1 の背面凹部４６に嵌合される凹部押圧板４７が磁力の作用によって着脱可能に装着された構成である。一般押圧板４３には、凹部押圧板４７の背面に突設された複数本（実施例では６本）の嵌合ピン４８を嵌合させる嵌合孔４９が穿孔され、各嵌合孔４９の背面には、マグネット５１が配置されている。マグネット５１は、ボルト５２によってマグネット取付板５３の前面に取付けられ、当該マグネット取付板５３は、マグネット５１と同一厚のスペーサ５４を介して一般押圧板４３の背面にボルト５２を介して取付けられている。なお、一般押圧板４３の上端部は、作業台Ｂの支持ローラ取付部材２２の下端面にほぼ垂直となって取付けられた多数の支持ローラＲとの干渉を回避するための干渉回避溝５５が形成されている。
【００４０】
パチンコ盤Ｋ1 の背面を押圧する場合には、図９及び図１０に示されるように、一般押圧板４３の前面の各嵌合孔４９に、凹部押圧板４７の背面の各嵌合ピン４８を嵌合させると、各嵌合孔４９の背面に臨んで配置されている複数のマグネット５１の磁力により、一般押圧板４３の前面に凹部押圧板４７が配置されて、両押圧板４３，４７が一体化される。一方、ベニヤから成るパチンコ盤Ｋ2 又は平面状の樹脂板から成るパチンコ盤Ｋ3 の場合には、一般押圧板４３のみが使用される。
【００４１】
なお、図１及び図３において、パチンコ盤Ｋ1 〜Ｋ3 の釘調整作業は、一つのパチンコ盤Ｋ1 〜Ｋ3 に対して複数の作業者が割り当てられた特定部分のみを担当して行うために、本発明に係る遊技釘調整装置Ａは、複数台が直列に並べられている。
【００４２】
そして、図１及び図３に示されるように、各搬送コンベア装置Ｃが作動して、パチンコ盤Ｋ1 〜Ｋ3 が搬送されて、偶数番目の搬送コンベア装置Ｃに達して、上下一対の光センサ２７ａ，２７ｂにより検出されると、搬送コンベア装置Ｃは停止して、パチンコ盤Ｋ1 〜Ｋ3 は、釘調整位置に配置される。
【００４３】
背面凹部４６が設けられたパチンコ盤Ｋ1 の場合には、一般押圧板４３の前面に凹部押圧板４７が一体に配置された押圧板Ｄが使用され、偶数番目の搬送コンベア装置Ｃにパチンコ盤Ｋ1 が搬入されて停止した状態では、図１１（ａ）に示されるように、パチンコ盤Ｋ1 と押圧板Ｄとの間には、所定の隙間が形成されている。
【００４４】
上記の状態で、押圧板進退ボタン２９を押すと、エアシリンダ４１のロッド４２の突出により、押圧板Ｄが前進して、凹部押圧板４７がパチンコ盤Ｋ1 の背面凹部４６に入り込んで、パチンコ盤Ｋ1 の背面に密着して、当該パチンコ盤Ｋ1 は、エアシリンダ４１のエア圧により、背面から押圧されて、その下端部及び上端部は、それぞれ走行案内溝形成板１８の内端面、及び移動規制板２５の内側面に押圧当接された状態が維持される。これにより、背面凹部４６を有するパチンコ盤Ｋ1 は、その曲げ剛性を主体とした全体の剛性が高められる。このため、走行案内溝形成板１８及び移動規制板２５は、それぞれ押圧装置Ｐによりパチンコ盤Ｋ1 が背面から押圧された状態において、当該パチンコ盤Ｋ1 の下端部及び上端部の前方への移動を規制する移動規制部となっている。
【００４５】
上記のように、背面凹部４６が形成された樹脂製のパチンコ盤Ｋ1 の周縁部を除く中心部の背面が凹部押圧板４７により背面から押圧されることで、当該パチンコ盤Ｋ1 の曲げ剛性を主体とする全体の剛性が高められる。この状態で、パチンコ盤Ｋ1 の全面に取付けられた遊技釘の間隔、傾斜等をハンマーを用いて調整する際においても、パチンコ盤Ｋ1 の全体の剛性が高められているために、振動が発生することなく、安定した状態で釘調整を行える。
【００４６】
パチンコ盤Ｋ1 の前面の特定部の遊技釘の調整を終えると、押圧板進退ボタン２９を押すと、押圧装置Ｐのエアシリンダ４１のロッド４２が引っ込むことで、図１１（ｂ）に示されるように、パチンコ盤Ｋ1 に対して押圧板Ｄが後退して、両者の間に所定の隙間が形成される。その後に、搬送コンベア装置Ｃの起動ボタン２８を押すと、当該パチンコ盤Ｋ1 を支持している搬送コンベア装置Ｃが作動して、当該パチンコ盤Ｋ1 は、釘調整位置から側方に搬送される。
【００４７】
また、上記したように、複数の搬送コンベア装置Ｃが直列に配置されることで形成されるパチンコ盤Ｋ1 〜Ｋ3 の直線搬送路は、全長に亘って凹部のない平面状に形成され、しかも搬送コンベア装置Ｃを構成する平ベルト６の上方走行部６ａの下方に配置された水平維持板９によって、当該上方走行部６ａは、常時水平維持されるので、下端部に凹凸部を有するパチンコ盤Ｋ11，Ｋ12であっても、ローラコンベア装置で搬送される場合のように、搬送途中において傾動することなく、水平を維持して安定して搬送することが可能となる。
【００４８】
また、図１２に示されるベニヤ又は平板状の樹脂板から成るパチンコ盤Ｋ2 ，Ｋ3 の場合には、図１３に示されるように、押圧板Ｄを構成する凹部押圧板４７を使用することなく、一般押圧板４３のみを使用して、前記各パチンコ盤Ｋ2 ，Ｋ3 を背面から押圧することで、その全体剛性を高めて、釘調整時における振動の発生を防止する。
【００４９】
このように、一般押圧板４３の前面に凹部押圧板４７が着脱可能に取付けられる構成の押圧板Ｄを使用することで、同一の押圧板Ｄにより、計３種類の異なるパチンコ盤Ｋ1 〜Ｋ3 を背面側から押圧できる。
【符号の説明】
【００５０】
Ａ：遊技釘調整装置
Ｂ：作業台
Ｃ：パチンコ盤の搬送コンベア装置
Ｄ：押圧板
Ｋ1 〜Ｋ3 ：パチンコ盤
Ｐ：押圧装置
Ｒ：支持ローラ
Ｓ：上端部支持装置
４：駆動ローラ（搬送ローラ）
５：被動ローラ（搬送ローラ）
６：平ベルト
１３：テンション装置
１８：走行案内溝形成体（パチンコ盤の下端部の移動規制部）
２０：閉塞板
２３：支持軸
２４：ローラ単体
２５：パチンコ盤の上端部の移動規制板（移動規制部）
４３：一般押圧板
４６：背面凹部
４７：凹部押圧板
４８：嵌合ピン
４９：嵌合孔
５１：マグネット
５５：干渉回避溝
【図１】
0006469460.tif 000002
【図２】
0006469460.tif 000003
【図３】
0006469460.tif 000004
【図４】
0006469460.tif 000005
【図５】
0006469460.tif 000006
【図６】
0006469460.tif 000007
【図７】
0006469460.tif 000008
【図８】
0006469460.tif 000009
【図９】
0006469460.tif 000010
【図１０】
0006469460.tif 000011
【図１１】
0006469460.tif 000012
【図１２】
0006469460.tif 000013
【図１３】
0006469460.tif 000014
【図１４】
0006469460.tif 000015